(57)【特許請求の範囲】
【請求項１】
便器装置の外殻ケース内にタンクホルダに着脱自在に保持した洗剤タンクを備え、上記洗剤タンクに貯留した洗剤を洗剤供給路を介してボウル洗浄水に混ぜてボウル部に供給することで、上記ボウル部の汚れを落とすことを可能にした便器装置であって、
上記洗剤タンクに対応する上記外殻ケースの部位に開閉自在なメンテ用開口を設け、
上記タンクホルダを、保持した上記洗剤タンクが上記洗剤供給路に接続されるタンク配備位置と、開放状態の上記メンテ用開口から上記外殻ケースの外方に突出されるタンク着脱位置との間で、移動自在にし、
上記便器装置の上記外殻ケース内に上記洗剤供給路の接続端を設けると共に、上記タンクホルダのタンク配備位置への移動によって上記接続端へ接続する接続継手を上記洗剤タンクに設けて成ることを特徴とする便器装置。
【請求項２】
上記洗剤供給路の接続端の近傍に、タンク配備位置に位置する洗剤タンクの接続継手を洗剤供給路の接続端に導く接続ガイド部を設けたことを特徴とする請求項１記載の便器装置。
【請求項３】
タンクホルダをその下端を回動中心にして上下に回動自在に設けると共に、タンク着脱位置のタンクホルダを上方ほど便器装置から離れるような傾斜姿勢になるように設定し、タンクホルダに洗剤タンクを抜き差しする上方開口を設けたことを特徴とする請求項１又は２記載の便器装置。
【請求項４】
タンクホルダを便器本体に対して接離する方向で且つ略水平にスライド自在に設け、タンクホルダに洗剤タンクを抜き差しする上方開口を設けたことを特徴とする請求項１又は２記載の便器装置。
【発明の詳細な説明】
【技術分野】
【０００１】
本発明は、便器装置に関するものである。
【背景技術】
【０００２】
従来から、図９のように、ボウル内を洗剤で洗浄する洗剤供給手段２を備えた便器装置１が知られている（たとえば非特許文献１参照）。この洗剤供給手段２は、水源からボウル内に至る洗浄水流路に対して洗剤タンク３から至る洗剤供給路８が接続され、洗剤供給路８を介して洗剤タンク３内の洗剤を洗浄水流路に流れるボウル洗浄水に混入させて洗剤混合水を生成するようにされている。このように洗剤は使用により目減りするものであるため、洗剤タンク３には洗剤を補充するなど定期的なメンテナンスが必要とされる。
【０００３】
ここで、この便器装置１にあって洗剤タンク３は、すっきりとした良好な外観を確保するべく、便器装置１の外殻ケース１６内に収めているが、外殻ケース１６の一部１６ａを取外し自在にしてできるメンテ用開口５を通じて外部から着脱できるようにされ、洗剤タンク３への洗剤の補充等のメンテナンス作業を可能にしている。
【０００４】
しかしながら、この便器装置１にあって洗剤タンク３は、外殻ケース１６の内部に比較的奥まった位置に着脱自在に配備されている。詳しくは図９（ｂ）のように、洗剤タンク３は、便器装置１の左右中央にあるトラップ装置１３の側部に付設した台座部材６´に対して、着脱自在に取り付けられている。したがって、洗剤タンク３への補充等のメンテナンス作業にあっては、洗剤タンク３は外殻ケース１６のメンテ用開口５から手を差し入れる動作が必要となる。このとき、手を滑らせて洗剤タンク３を落としてしまうと、洗剤タンク３内に残った洗剤が床にこぼれる恐れもあるため、手元に注意しながらの作業を要求される。
【０００５】
しかし上述のように、メンテ用開口５に手を差し入れる動作を伴うが故に、手元を狂わせて洗剤タンク３をメンテ用開口５の縁に当てて落としてしまうといったことがあり、作業性が必ずしも良好であるとは言えなかった。しかも、便器装置１は比較的狭い空間に設置される事情もあって、洗剤タンク３のメンテナンスには作業姿勢に制約が伴う。したがって、その作業をより行い易く行えるよう改善されることが望まれるものであった。
【非特許文献１】松下電工株式会社、カタログ「アラウーノ」、２００６年１１月発行
【発明の開示】
【発明が解決しようとする課題】
【０００６】
本発明は上記の点に鑑みてなされたものであり、その目的とするところは、洗剤タンクの補充等のメンテナンス作業を容易に行うことのできる便器装置を提供することにある。
【課題を解決するための手段】
【０００７】
上記課題を解決するために請求項１に係る便器装置にあっては、便器装置１の外殻ケース１６内にタンクホルダ４に着脱自在に保持した洗剤タンク３を備え、上記洗剤タンク３に貯留した洗剤を洗剤供給路８を介してボウル洗浄水に混ぜてボウル部１５に供給することで、上記ボウル部１５の汚れを落とすことを可能にした便器装置１であって、上記洗剤タンク３に対応する上記外殻ケース１６の部位に開閉自在なメンテ用開口５を設け、上記タンクホルダ４を、保持した上記洗剤タンク３が上記洗剤供給路８に接続されるタンク配備位置と、開放状態の上記メンテ用開口５から上記外殻ケース１６の外方に突出されるタンク着脱位置との間で、移動自在にし、上記便器装置１の上記外殻ケース１６内に上記洗剤供給路８の接続端８ａを設けると共に、上記タンクホルダ４のタンク配備位置への移動によって上記接続端８ａへ接続する接続継手３ａを上記洗剤タンク３に設けて成ることを特徴とする。
【０００８】
これによると、洗剤タンク３はタンクホルダ４への着脱によって便器装置１への着脱が行われるのであるが、洗剤タンク３のタンクホルダ４への着脱作業は、タンクホルダ４を操作してタンク着脱位置に移動させることで、開放状態のメンテ用開口５から外殻ケース１６の外方に突出した状態のタンクホルダ４に対して洗剤タンク３を着脱できるのであり、つまり、メンテ用開口５から外殻ケース１６の内方に洗剤タンク３を差し入れることなく便器装置１への洗剤タンク３の着脱作業を行うことができたものであり、洗剤タンク３への洗剤補充等のメンテナンス作業を容易にできる。
【０００９】
また、請求項２に係る便器装置にあっては、請求項１において、上記洗剤供給路８の接続端８ａの近傍に、タンク配備位置に位置する洗剤タンク３の接続継手３ａを洗剤供給路８の接続端８ａに導く接続ガイド部９を設けたことを特徴とする。
【００１０】
これによると、洗剤タンク３を保持したタンクホルダ４をタンク配備位置に移動させたとき、洗剤タンク３の接続継手３ａを接続ガイド部９によって洗剤供給路８の接続端８ａに導いて自動的に接続させるようにでき、洗剤タンク３を洗剤供給手段２にスムーズに配備できて、洗剤タンク３への洗剤補充等のメンテナンス作業の容易化を図ることができる。
【００１１】
また、請求項３に係る便器装置にあっては、請求項１又は２において、タンクホルダ４をその下端を回動中心にして上下に回動自在に設けると共に、タンク着脱位置のタンクホルダ４を上方ほど便器装置１から離れるような傾斜姿勢になるように設定し、タンクホルダ４に洗剤タンク３を抜き差しする上方開口４ａを設けたことを特徴とする。
【００１２】
これによると、洗剤タンク３を抜き差しする上方開口４ａが設けられたタンクホルダ４を回動操作してタンク着脱位置に位置させたときには、タンクホルダ４は上方ほど便器装置１から離れるような傾斜姿勢になり、上記上方開口４ａは外殻ケース１６から離れる方向で且つ上方に向けて開口した状態となるので、便器装置１の上方に広がる開けた空間Ａを利用して、洗剤タンク３をタンクホルダ４に対してその上方開口４ａを通じて容易に着脱させることができ、洗剤タンク３への洗剤補充等のメンテナンス作業の容易化を図ることができる。
【００１３】
また、請求項４に係る便器装置にあっては、請求項１又は２において、タンクホルダ４を便器装置１に対して接離する方向で且つ略水平にスライド自在に設け、タンクホルダ４に洗剤タンク３を抜き差しする上方開口４ａを設けたことを特徴とする。
【００１４】
これによると、洗剤タンク３を抜き差しする上方開口４ａが設けられたタンクホルダ４を略水平にスライド操作してタンク着脱位置に位置させたときには、タンクホルダ４の上方開口４ａは外殻ケース１６の外方位置で上方に向けて開口した状態となるので、便器装置１の上方に広がる開けた空間Ａを利用して、洗剤タンク３をタンクホルダ４に対してその上方開口４ａを通じて容易に着脱させることができ、洗剤タンク３への洗剤補充等のメンテナンス作業の容易化を図ることができる。
【発明の効果】
【００１５】
本発明にあっては、洗剤タンクの補充等のメンテナンス作業を容易に行うことができる、という利点を有する。
【発明を実施するための最良の形態】
【００１６】
以下、本発明を添付図面に示す実施形態に基いて説明する。
【００１７】
本例の便器装置１は、図２のように、主体を構成する便器本体１０に対して、洗剤供給手段２を付設した洗浄水吐水装置１１や局部洗浄装置１２やトラップ装置１３などの各種装置を一体に収めて配備して構成された水洗便器装置である。
【００１８】
便器本体１０は上記各種装置１１〜１３を収容するハウジングであり、本例では合成樹脂製であって、ボウル部１５を形成するボウル形成パーツ１５ａ、便器装置１の外殻を形成する外殻ケース１６を溶着一体化させて形成している。便器本体１０の前部域には上面に開口するボウル部１５が設けられている。便器本体１０の後部域では、ボウル形成パーツ１５ａや外殻ケース１６にて囲繞された空間である機器収納部１７が形成され、この機器収納部１７に対して洗浄水吐水装置１１や局部洗浄装置１２やトラップ装置１３が収められて配設されている。
【００１９】
詳しくは、本例の外殻ケース１６は、便器装置１の後部下部の側面となる左右一対の後部側壁用外殻ピース材１６ａ、ボウル部１５の外側を覆うスカート用外殻ピース材１６ｂ、後述の立上り部２０の後部外殻となる立上り部後部用外殻ピース材１６ｃ、立上り部２０の側面外殻となる左右一対の立上り部側面用外殻ピース材１６ｄ、便器装置１の後面外殻となる後面壁用外殻ピース材１６ｅ、立上り部２０の前部とボウル部１５の上縁部位とを形成する上面用外殻ピース材１６ｆとで構成される。これら各ピース材１６ａ〜１６ｆは、床に設置した金属製の支持フレーム１４に対して取り付けることで、所定形状の便器装置１の外殻を形成する。ここで、後部側壁用外殻ピース材１６ａの一方の部材は支持フレーム１４に対して着脱自在にされていて、これを取外した際に外殻ケース１６に後述のメンテ用開口５を形成させる。ボウル形成パーツ１５ａの上縁は上面用外殻ピース材１６ｆの下縁に溶着されるのであるが、上面用外殻ピース材１６ｆの下縁にはボウル部１５の上縁に設けるリム部１５ｂが形成されている。なお、外殻ケース１６は上記構成に特定されず、任意区画の外殻ピース材を組み合わせて形成することも可能である。
【００２０】
トラップ装置１３は、便器本体１０の機器収納部１７の下部域に設けられる。本例のトラップ装置１３は、図３のように節水効果の期待できるターントラップ方式であり、つまりボウル部１５の下部から後方に突設した排水筒部１８に対して接続したフレキシブルなトラップ筒１９が、モータにより上下に回動駆動にされて、ボウル部１５内の溜水３５を排水できる構造を有する。
【００２１】
洗浄水吐水装置１１や局部洗浄装置１２は、図２及び図３のように、便器本体１０の機器収納部１７におけるトラップ装置１３の上方域に設けられる。ここで、便器本体１０の後部域の上部は、ボウル部１５が位置する便器本体１０の前部域の上面レベルよりも上方に立ち上がった立上り部２０とされており、洗浄水吐水装置１１や局部洗浄装置１２を収める機器収納部１７を広く採り得る構造となっている。立上り部２０の左右方向の両側端部にはボウル部１５上に位置される便座２１や便蓋２２が起倒自在に枢支されている。ボウル部１５の開口縁後部に臨む立上り部２０の前部の下縁部位にあって、左右方向の中央部には用便後の使用者の局部に向けて局部洗浄水を噴射させる局部洗浄装置１２の洗浄ノズル１２ａが伸縮自在に設けられ、左右方向の一方の端部には用便後にボウル洗浄水を流す洗浄水吐水装置１１の洗浄水吐出口２３が開設されている。
【００２２】
本例の洗浄水吐水装置１１は、図３のように、装置の小型化を期待できるタンクレス方式であり、つまり水源である上水道からボウル部１５に至る洗浄水流路２４を有し、洗浄水流路２４に配置した洗浄水開閉弁２５の開閉によって、ボウル洗浄水を洗浄水流路２４の下流端の洗浄水吐出口２３からボウル部１５内に吐出できる構造のものが採用されている。これ以外の構造、たとえば水源としてのロータンクの貯留水を開閉弁を介して流すタンク方式のものも採用できる。なお、上記タンクレス方式の場合、ボウル洗浄水の搬送圧として水道圧をそのまま利用したり、洗浄水流路２４に圧送ポンプを設けて洗浄水を圧送させることもできる。洗浄水吐水装置１１の洗浄水開閉弁２５の開閉動作やトラップ装置１３のトラップ筒１９の回動動作は、使用者の操作部２６の操作に基づいて機器収納部１７に内装した制御部（図示せず）によって適宜制御される。上記のように洗浄水吐出口２３はボウル部１５の開口縁後部における幅方向の一方に設けられているので、図２の矢印のように、吐出されたボウル洗浄水はボウル部１５内を隈なく且つ勢い良く旋回する旋回流となり、ボウル部１５内の汚物を一気に流し得るようにされている。
【００２３】
更に言うと、本例の洗浄水吐水装置１１には、図４のように、ボウル洗浄水に空気を混入してこの空気を微細化して微細気泡を生成してボウル洗浄水に含有させる微細気泡発生手段２７が設けられる。微細気泡をボウル洗浄水に含有させると、嵩比重の低下による節水効果、ボウル洗浄水のボウル部１５の内面への衝突の際の摩擦低減による静音化や水跳ね防止効果は勿論のこと、微細気泡がボウル部１５の内壁に衝突して破裂する際に発生する衝撃波や気泡界面が有する吸着特性などによって、ボウル部１５の内壁に付着する汚物を強力に剥がして吸着できる気泡洗浄効果も期待できる。
【００２４】
具体的には、微細気泡発生手段２７は、洗浄水流路２４に空気混入部２８を設けると共にこの下流にベンチュリー管状の圧力急変部２９を設けて成る管材２７ａにて構成される。空気混入部２８は、洗浄水流路２４の径を絞ったノズル部２８ａの周辺に逆止弁３０を備えた空気供給管３１を接続して成り、ノズル部２８ａに生じる負圧によって空気をボウル洗浄水内に隈なく混入させ得るようにしてある。圧力急変部２９は、上流側から順に、径を絞る縮径部３２、絞られた径の咽喉部３３、径を拡げる拡径部３４が連設された構造を有し、上記空気混入部２８にてボウル洗浄水に混入した空気は、ボウル洗浄水が圧力急変部２９を流れる際に、まず縮径部３２及び咽喉部３３での内圧降下にて膨張され、続けて拡径部３４での内圧上昇にて剪断力や衝撃波が作用されて破砕され微細化される。微細気泡発生手段２７としては混入空気をボウル洗浄水内に溶解させた後に析出させるタイプも用いることができるが、このタイプだと溶解タンクが必要になって大型化するので、本例のような剪断力等を利用して混合空気を破砕して微細化させる管材２７ａで構成されるタイプのものを好適に用いることができる。
【００２５】
洗剤供給手段２は、図３及び図４のように、洗浄水流路２４に設けた洗剤混合部７に対して洗剤タンク３から至る洗剤供給路８が接続され、洗剤供給路８に設けた洗剤用ポンプ３６を駆動すると共に洗剤供給路８に設けた洗剤用開閉弁３７が開かれることで、洗剤混合部７にてボウル洗浄水に対して洗剤タンク３内に貯留した液状の中性洗剤から成る洗剤を混合させて洗剤混合水を生成するようにされている。詳しくは、本例の洗剤供給路８は、往路部の始端と復路部の終端とが洗剤タンク３内に位置する循環経路部３８と、循環経路部３８の途中から分岐して洗浄水流路２４の洗剤混合部７に至る供給経路部３９とを有している。洗剤用ポンプ３６は循環経路部３８に設けられ、洗剤用開閉弁３７は供給経路部３９の下流端に設けられている。洗剤用ポンプ３６を駆動すると洗剤タンク３に貯留された洗剤が循環経路部３８を循環するので、洗剤が洗剤供給路８内で固化等して詰まることが防止されている。また、洗剤混合部７は、洗浄水流路２４の流路径を絞って流れるボウル洗浄水に負圧を発生させる部位となっており、本例では管材２７ａの咽喉部３３で構成されている。洗剤用開閉弁３７は、洗剤混合部７でのボウル洗浄水の負圧がかかると共に、洗剤用ポンプ３６が駆動してポンプ圧がかかった場合に開くようにされていて、一定の洗剤がボウル洗浄水内に混入されるようになっている。
【００２６】
洗剤混合水は洗浄水流路２４を経て洗浄水吐出口２３からボウル部１５内に供給される。洗浄水吐出口２３から吐出された洗剤混合水は、上述したように旋回流になってボウル部１５の内面に隈なく行きわたり、洗剤混合水に含有する洗剤による洗剤洗浄効果をボウル部１５の内面に隈なく発揮させて効果的な洗浄が可能にされている。更に言うと、洗剤混合水はボウル洗浄水に比べて水の表面張力（粘性）が低下し、微細気泡発生手段２７で発生する微細気泡の径をｍｍオーダーからμｍオーダーにまで小さくできる効果も有する。μｍオーダーの微細気泡はｍｍオーダーの微細気泡に比べて格段に割れにくい性質を有する。したがって、本例の便器装置１では、ボウル部１５の洗浄動作におけるボウル部１５内に溜水３５が形成されるタイミングで洗剤混合水を生成させ、気泡を長期に亙って残留させた溜水３５を形成させて、溜水３５の喫水線付近の汚れ付着防止を図るように、制御部による制御がなされている。
【００２７】
ところで、洗剤は洗剤供給手段２の使用により目減りするため、洗剤タンク３には洗剤を補充するなど定期的なメンテナンスが必要とされる。なお、洗剤タンク３は略直方体状の容器であり、その上面部には洗剤供給路８の接続端８ａに接続させる接続継手３ａと洗剤投入口３ｂとが設けられている。本例の便器装置１にあっては、洗剤タンク３への洗剤補充等のメンテナンス作業の容易化を図るため、洗剤タンク３を便器装置１に簡単に着脱可能にする工夫が施されており、以下に詳述する。
【００２８】
すなわち、図１及び２のように、洗剤タンク３を着脱自在に保持するタンクホルダ４を洗剤供給手段２に設けると共に、便器装置１の外殻ケース１６にメンテ用開口５を設け、このタンクホルダ４を、開放状態のメンテ用開口５から外殻ケース１６の外方に突出されるタンク着脱位置と、洗剤タンク３が洗剤供給路８に接続される外殻ケース１６内のタンク配備位置との間で、移動自在にしている。したがって、本例の便器装置１では、洗剤供給手段２に移動自在に設けたタンクホルダ４をタンク着脱位置に移動させることで、洗剤タンク３がタンクホルダ４と共に外殻ケース１６のメンテ用開口５から外殻ケース１６の外方に突出した状態に位置され、メンテ用開口５から外殻ケース１６の内方に洗剤タンク３を差し入れることなく便器装置１への洗剤タンク３の着脱作業を行うことができるようにし、洗剤タンク３への洗剤補充等のメンテナンス作業を容易な作業にしている。
【００２９】
詳しくは、本例のタンクホルダ４は、トラップ装置１３の側部に付設した台座部材６に対して回転動作にて移動自在に取り付けられる。以下の説明においては、便宜上図５乃至７中の矢印ａ，ｂを正面方向、背面方向として説明する。
【００３０】
本例の台座部材６は、図６のように、底壁部６０の背面側端部から背壁部６１が立設し、底壁部６０及び背壁部６１の両側を縦壁状の側壁部６２で連結して成り、これら各壁部６０〜６２にて囲まれて正面方向及び上方に開口するホルダ収納部６３を内部に備えた樹脂製の容器体である。台座部材６の背壁部６１には係止用孔６４と段部６５とが形成されている。台座部材６は、図１のように、トラップ装置１３の側部に形成された台部１３ａに段部６５を沿わせると共に、トラップ装置１３の側部に形成された係止突起１３ｂ（図２）を係止用孔６４に引っ掛け係止させるようにして、トラップ装置１３の側部に付設される。また、台座部材６の底壁部６０には、その正面側縁部に沿って回転軸６６が取り付けられている。また、台座部材６の各側壁部６２には、回転軸６６を円弧中心にする円弧孔状のガイド用孔６７が穿設されている。このガイド用孔６７の正面側と背面側の各端部の孔縁部にはクリック突起６８が形成されている。なお、クリック突起６８は図面ではガイド用孔６７の下縁から突設されているが、ガイド用孔６７の上縁から突設させてもよい。
【００３１】
タンクホルダ４は、図５のように、底壁部４１の正面側端部から正面壁部４０が立設し、底壁部４１及び正面壁部４０の両側に縦壁状の側壁部４２がそれぞれ立設し、これら各壁部４０〜４２にて囲まれて背方及び上方に開口するタンク収納部４４を内部に備えた樹脂製の容器体である。つまり、タンクホルダ４には洗剤タンク３を抜き差しする上方開口４ａ（上記タンク収納部４４の上方開口）が設けられている。両側壁部４２には、その内面に洗剤タンク３を両側から挟持、保持するための挟持用突起４５が突設されると共に、その外面に上記台座部材６のガイド用孔６７に摺動自在に挿通させる摺動突起４６が突設されている。また、タンクホルダ４の背方開口縁にはタンク収納部４４に収納した洗剤タンク３の背面に沿わせて押さえる押え片４７が突設されている。すなわち、洗剤タンク３はタンクホルダ４の上方からの抜き差し動作によって上方開口４ａを通してタンク収納部４４への挿入・引出しが可能にされ、タンク収納部４４に挿入された洗剤タンク３は押え片４７と挟持用突起４５との協働によってタンク収納部４４内での位置決め配置が可能にされている。
【００３２】
挟持用突起４５は内外に弾性変形可能に形成してあり、洗剤タンク３をタンク収納部４４に弾性的に保持できて着脱作業の容易化が図られている。また、摺動突起４６は、側壁部４２から側方に突出する柱部４６ａと、柱部４６ａの突出先端から正面やや斜め上方に突出する係止片４６ｂとで構成されている。なお、柱部４６ａは下方に弦部を設けた断面半円状に形成されており、タンクホルダ４を射出成形で製造したときの上下型の型抜きを容易にしている。また、図５（ｂ）のように、底壁部４１の下面の正面側端部には、回転軸６６に引っ掛けて軸支される軸受用突起４８が間隔をあけて一対突設されると共に、軸受用突起４８からの回転軸６６の抜け落ちを防止する軸抜け防止リブ４９が形成されている。なお、底壁部４１には洗剤タンク３の重量を支えるための補強リブ５０が縦横に形成されて剛性補強がなされている。
【００３３】
このタンクホルダ４は、その正面方向の開口と台座部材６の背面方向の開口とを対面させた姿勢で、台座部材６のホルダ収納部６３内に位置させ、このとき軸受用突起４８を回転軸６６に軸支させると共に摺動突起４６をガイド用孔６７に挿入することで、軸受用突起４８の回転軸６６への軸支部分を回動中心にすると共に、ガイド用孔６７による摺動突起４６への回動範囲の規制を受けながら、台座部材６に対して正面−背面方向に回動自在に取り付けられる。
【００３４】
ここで、図１のように、台座部材６を付設したトラップ装置１３の側部において、台座部材６の上縁部には洗剤供給路８の接続端８ａが配設される。また、台座部材６の外側に位置する外殻ケース１６の部位（本例では後部側壁用外殻ピース材１６ａ）は、便器装置１に対して取り外し自在に設けられており、この部位（後部側壁用外殻ピース材１６ａ）を取外したときには、外殻ケース１６にメンテ用開口５ができる（図９（ａ）参照）。このメンテ用開口５を通じて、上述したタンクホルダ４におけるタンク配備位置とタンク着脱位置との間の移動動作が行われる。
【００３５】
詳しくは、洗剤タンク３を保持したタンクホルダ４を台座部材６に対して正面方向へ回動操作すると、その回動範囲の正面端部位置では、タンクホルダ４及び洗剤タンク３が上方ほど便器装置１から離れるような傾斜姿勢になると共に、タンクホルダ４及び洗剤タンク３がメンテ用開口５から外殻ケース１６の外方に突出した位置に位置されるのであって、タンク着脱位置となる。このタンク着脱位置でタンクホルダ４への洗剤タンク３の着脱作業を行うのであるが、タンクホルダ４及び洗剤タンク３は叙述のように上方ほど便器装置１から離れるような傾斜姿勢になり、タンクホルダ４の上方開口４ａは便器装置１から離れる方向で且つ上方に向けて開口した状態となるので、便器装置１の上方に広がる開けた空間Ａを利用して、洗剤タンク３をタンクホルダ４に対してその上方開口４ａを通じて容易に着脱させることができ、洗剤タンク３への洗剤補充等のメンテナンス作業の容易化が図られている。
【００３６】
なお、タンクホルダ４をタンク着脱位置に回動操作するには、摺動突起４６の柱部４６ａがガイド用孔６７の正面側のクリック突起６８を乗り越えて行われるものであり、タンクホルダ４のタンク着脱位置への操作感付与や、タンクホルダ４のタンク着脱位置での保持作用が図られている。また、タンク着脱位置にあるタンクホルダ４にあっては、摺動突起４６の係止片４６ｂが台座部材６のガイド用孔６７の正面側の縁部分に外側から重なるように位置している。したがって、洗剤タンク３の着脱の際の衝撃によってタンクホルダ４が振動しても、上記係止片４６ｂがガイド用孔６７の正面側の縁部分に外側から引っ掛かり、台座部材６からタンクホルダ４が不意に脱落することが防止されている。更に言うと、タンク着脱位置のタンクホルダ４を便器装置１のメンテ用開口５よりも外側位置に設定してもよく、これによると洗剤タンク３への洗剤補充等のメンテナンス作業の更なる容易化を図ることができる。
【００３７】
一方、洗剤タンク３を保持したタンクホルダ４を台座部材６に対して背方へ回動操作すると、その回動範囲の背面側端部位置では、タンクホルダ４及び洗剤タンク３が略鉛直姿勢になって台座部材６のタンク収納部４４内に収まる状態になる。この状態では、タンクホルダ４に保持された洗剤タンク３はその接続継手３ａが洗剤供給路８の接続端８ａに接続され、タンク配備位置となる。タンク配備位置にて便器装置１に配備した洗剤タンク３は外殻ケース１６内に位置するから、外殻ケース１６のメンテ用開口５を塞ぐことで洗剤タンク３を便器装置１の外側から見えない状態にでき、つまり、洗剤タンク３は便器装置１の良好な外観を確保しながら便器装置１に配備される。本例では、便器本体１０の後部域の下部の機器収納部１７に洗剤タンク３は配備される。
【００３８】
ここで、洗剤供給路８の接続端８ａの上部近傍には、タンク配備位置に位置する洗剤タンク３の接続継手３ａを洗剤供給路８の接続端８ａに導く庇状の接続ガイド部９が洗剤供給路８の接続端８ａよりも正面方向に突出するように設けられており、洗剤タンク３を保持したタンクホルダ４を台座部材６に対して背方へ回動操作すると、洗剤タンク３の接続継手３ａの先端が庇状の接続ガイド部９の下面に沿って摺動し、洗剤供給路８の接続端８ａに導入されるようになっている。つまり、洗剤タンク３を保持したタンクホルダ４をタンク配備位置に移動させたときには、洗剤タンク３の接続継手３ａを接続ガイド部９によって洗剤供給路８の接続端８ａに導いて自動的に接続させるようになっており、洗剤タンク３の洗剤供給手段２へのスムーズな配備が確保されて、洗剤タンク３への洗剤補充等のメンテナンス作業の容易化が図られている。
【００３９】
なお、タンクホルダ４をタンク配備位置に回動操作するには、摺動突起４６の柱部４６ａがガイド用孔６７の背面側のクリック突起６８を乗り越えて行われるものであり、タンクホルダ４のタンク着脱位置への操作感付与や、タンクホルダ４のタンク着脱位置での保持作用が図られている。
【００４０】
また、洗剤タンク３への洗剤補充等のメンテナンス作業の容易化を図るための、洗剤タンク３を便器装置１に簡単に着脱可能にする工夫としては、図７の構造を採用することもできる。なお、先例と同様の部位には同符号を付して説明を省き、異なる部分について説明をする。
【００４１】
この図７及び図８の例では、洗剤タンク３を抜き差しする上方開口４ａを有したタンクホルダ４は、洗剤供給手段２に対して接離する方向で且つ略水平方向にスライド自在に設けてある。つまり、タンクホルダ４をスライド操作してタンク着脱位置に位置させたときには、タンクホルダ４の上方開口４ａは外殻ケース１６の外方位置で上方に向けて開口した状態となるから、便器装置１の上方に広がる開けた空間Ａを利用して、洗剤タンク３をタンクホルダ４に対してその上方開口４ａを通じて容易に着脱させることができ、洗剤タンク３への洗剤補充等のメンテナンス作業の容易化が図られている。
【００４２】
詳しくは、タンクホルダ４は、トラップ装置１３の側部に付設した台座部材６に対してスライド動作にて移動自在に取り付けられる。本例のタンクホルダ４は、底壁部４１の背面側端部から背壁部４３が立設し、底壁部４１及び背壁部４３の両側に縦壁状の側壁部４２がそれぞれ立設し、これら各壁部４１〜４３にて囲まれて正面方向及び上方に開口するタンク収納部４４を内部に備えた樹脂製の容器体である。つまり、先例と同様にタンクホルダ４には洗剤タンク３を抜き差しする上方開口４ａ（上記タンク収納部４４の上方開口）が設けられている。両側壁部４２には、その外面にそれぞれ正面−背面方向に長い摺動突条５１が突設されている。また、タンクホルダ４の正面側開口にはタンク収納部４４に収納した洗剤タンク３の正面に沿わせて押さえる柵状の押え片４７が突設されている。また、背壁部４３の上部には、タンクホルダ４に保持した洗剤タンク３の接続継手３ａや洗剤供給路８の接続端８ａからの液垂れを受けるための受皿部５２が背方に突設されている。
【００４３】
また、本例の台座部材６は、トラップ装置１３の側部に、その背壁部６１をビス止めなどで取り付けることで付設される。背壁部６１の両側縁から正面方向に突出した一対の側壁部６２には、それぞれ正面−背面方向に長い直線状のスライド規制孔６９が穿設されている。また、各スライド規制孔６９に各摺動突条５１を正面−背面方向にスライド自在に挿入することで、タンクホルダ４が台座部材６に対して正面−背面方向にスライド自在に装着される。詳しくは、タンクホルダ４はそのスライド範囲の正面側端部位置で、タンクホルダ４及び保持した洗剤タンク３が開放状態のメンテ用開口５から外殻ケース１６の外方に突出した位置に位置されるのであって、タンク着脱位置となる。一方、タンクホルダ４はそのスライド範囲の背面側端部位置で、保持した洗剤タンク３の接続継手３ａが台座部材６の上縁背部に隣接して設けた洗剤供給路８の接続端８ａに対して接続される、タンク配備位置となる。タンク配備位置にあるタンクホルダ４は、背壁部４３に穿設した係止用孔５３にトラップ装置１３の側部の係止突起１３ｂが嵌挿され、ガタツキの抑制やスライド動作の操作感付与がなされている。また、台座部材６の背壁部６２には、トラップ装置１３の側部に設けた台部１３ａに載置する段部６５よりも上方に、タンク配備位置にあるタンクホルダ４の受皿部５２を挿通させる受皿部挿通孔７０が穿設されている。
【００４４】
この例においても、洗剤タンク３はタンクホルダ４の上方開口４ａを通じての抜き差し動作によってタンク収納部４４への挿入・引出しが可能にされている。そして、図８のように、タンク着脱位置のタンクホルダ４はメンテ用開口５よりも便器装置１の外側突出位置に位置するように設定されているので、便器装置１の上方に広がる開けた空間Ａを利用して、洗剤タンク３をタンクホルダ４に対してその上方開口４ａを通じて容易に着脱させることができ、洗剤タンク３への洗剤補充等のメンテナンス作業の容易化が図られているのである。
【００４５】
また、上記実施形態では、便器本体１０として合成樹脂製のものを例示したが、たとえば合成樹脂製の外殻ケース１６と陶器製のボウル部１５とで成る樹脂と陶器との組み合わせ型の便器本体１０を用いたり、ボウル部１５や外殻ケース１６を一体の陶製成形物で構成した従来一般の陶器製の便器本体１０を用いることもできる。
【００４６】
また、上記実施形態では、タンクホルダ４は便器装置１の後部の下部に配設してあるが、たとえば開けた空間Ａに直接臨んでいる便器装置１の後部の上部など、便器装置１の他の部位に配設してもよい。開けた空間Ａに対してタンク着脱位置にあるタンクホルダ４を直接臨ませるようにすれば、洗剤タンク３への洗剤補充等のメンテナンス作業の更なる容易化を図ることができて好ましいのである。
【図面の簡単な説明】
【００４７】
【図１】本発明の実施の形態の例の便器装置であり、（ａ）は要部の斜視図であり、（ｂ）はタンクホルダがタンク着脱位置にある状態の便器装置の正面図である。
【図２】同上の便器装置の分解斜視図である。
【図３】同上の便器装置の概略側断面図である。
【図４】同上の便器装置の要部であり、（ａ）は斜視図であり、（ｂ）は側断面図である。
【図５】同上のタンクホルダであり、（ａ）は斜め上方から見た斜視図であり、（ｂ）は斜め下方から見た要部の斜視図である。
【図６】同上の台座部材の斜視図である。
【図７】実施の形態の他例の便器装置の要部の斜視図である。
【図８】同上のタンクホルダがタンク着脱位置にある状態の便器装置の正面図である。
【図９】従来技術の例であり、（ａ）は便器装置の側面図であり、（ｂ）は要部の斜視図である。
【符号の説明】
【００４８】
１  便器装置
２  洗剤供給手段
３  洗剤タンク
３ａ  接続継手
４  タンクホルダ
４ａ  上方開口
５  メンテ用開口
６  台座部材
７  洗剤混合部
８  洗剤供給路
８ａ  接続端
９  接続ガイド部
１５  ボウル部
１６  外殻ケース
【図１】
0005044364.tif 000002
【図２】
0005044364.tif 000003
【図３】
0005044364.tif 000004
【図４】
0005044364.tif 000005
【図５】
0005044364.tif 000006
【図６】
0005044364.tif 000007
【図７】
0005044364.tif 000008
【図８】
0005044364.tif 000009
【図９】
0005044364.tif 000010